(57)【要約】【課題】  ユーザにとってより使い易い、原稿読取装置を提供する。  【解決手段】  リフト板に原稿が載置されると、所定の時間を設定するために、タイマーをリセットスタートする（Ｓ１２）。次いで、リフト板上に載置された原稿の、搬送方向に交わるたとえば幅方向を、整列装置を移動して調整したか否かを判断する（Ｓ１３）。原稿の検知幅に変化があったと判断したときは、（Ｓ１３でＹＥＳ）、Ｓ１２へ戻って、再度タイマーをリセットスタートする（Ｓ１２）。Ｓ１３で原稿の検知幅に変化が無いときは、Ｓ１２で設定したタイマーのカウントアップを待つ（Ｓ１４）。タイマーカウントが、Ｓ１２で設定した所定値に達すると（Ｓ１５でＹＥＳ）、リフト板がリフトモータによって上昇駆動され（Ｓ１６）、上限検知センサがオンするまで上昇される（Ｓ１７）。【選択図】      図３
2006041809.tif 000002
【特許請求の範囲】
【請求項１】
原稿を載置する原稿載置台と、
前記原稿載置台に原稿が載置されたか否かを判断する原稿載置判断手段と、
前記原稿載置判断手段が、原稿が載置されたと判断した後、所定の時間経過を検出するタイマーと、
前記原稿載置台を、原稿を給紙するための給紙部、または給紙部の反対方向へ移動させる手段と
前記タイマーが所定の時間経過を検出した後、前記原稿載置台を前記給紙部へ移動させる制御手段とを含む、原稿読取装置。
【請求項２】
前記原稿載置台は、前記原稿の搬送方向に交わる方向の端部を整列する整列装置を含み、
前記制御手段は、前記整列装置が移動されたか否かを判断する移動判断手段を含み、
前記制御手段が、前記整列装置が移動されたと判断したときは、前記原稿載置台を、前記給紙部の反対方向に移動するよう制御する、請求項１に記載の原稿読取装置。
【請求項３】
前記原稿載置台は、前記原稿の搬送方向に交わる方向の端部を整列する整列装置を含み、
前記制御手段は、前記整列装置が移動されたか否かを判断する移動判断手段を含み、
前記制御手段が、前記整列装置が移動されたと判断したときは、前記タイマーの時間経過の検出をリセットする、請求項１または２に記載の原稿読取装置。
【請求項４】
再セットボタンと、
前記再セットボタンが押されたか否かを判断する再セットボタン判断手段とを含み、
前記再セットボタンが押されたときは、前記制御手段は、前記原稿載置台を、前記給紙部の反対方向に移動するよう制御する、請求項１に記載の原稿読取装置。
【請求項５】
前記所定の時間経過はユーザが設定可能である、請求項１から４のいずれかに記載の原稿読取装置。
【請求項６】
原稿を載置する原稿載置台を含み、
前記原稿載置台は、前記原稿の搬送方向に交わる方向の端部を整列する整列装置を含み、
前記原稿載置台を、原稿を給紙するための給紙部、または給紙部の反対方向へ移動させる手段と
前記整列装置が移動されたか否かを判断する移動判断手段と、
前記移動判断手段が、前記整列装置が移動されたと判断したときは、前記原稿載置台を、前記給紙部の反対方向に移動するよう制御する制御手段とを含む、原稿読取装置。
【請求項７】
原稿を載置する原稿載置台と、
前記原稿載置台を、原稿を給紙するための給紙部、または給紙部の反対方向へ移動させる手段と
再セットボタンと、
前記再セットボタンが押されたか否かを判断する再セットボタン判断手段と、
前記再セットボタンが押されたときは、前記原稿載置台を、前記給紙部の反対方向に移動するよう制御する制御手段とを含む、原稿読取装置。
【請求項８】
前記制御手段が前記原稿載置台を前記給紙部の反対方向に移動した後に所定の時間が経過したか否かを判定するタイマーをさらに含み、
前記タイマーが、所定の時間が経過したと判断したときは、前記制御手段は、前記原稿載置台を前記給紙部へ移動させる、請求項６または７に記載の原稿読取装置。
【請求項９】
前記制御手段は、前記原稿載置台を前記給紙部へ移動させた後、前記給紙部から少し給紙部の反対方向へ移動させる、請求項８に記載の原稿読取装置。
【発明の詳細な説明】
【技術分野】
【０００１】
この発明は、原稿読取装置に関し、例えば、複写機やファクシミリ装置などに設けられ、原稿台上の原稿を読取る原稿読取装置に関する。
【背景技術】
【０００２】
従来の原稿読取装置が、たとえば、特開２００２−６００６７号公報（特許文献１）に開示されている。
【０００３】
同公報によれば、原稿テーブルから原稿を、呼出コロでピックアップするタイミングが、呼出コロの下降開始後、原稿テーブルに収容した原稿の上面に当接した時点となるように制御される。その結果、呼出コロが移動を開始してから給紙するまでの時間を短縮し、給紙速度を向上している。
【０００４】
従来の原稿読取装置の他の例が、たとえば、特開２０００−９５３５９号公報（特許文献２）に開示されている。
【０００５】
同公報によれば、原稿テーブルに載置された原稿の積載高さを検知する積載高さセンサを設け、その検知情報を基に、底板の移動量を設定し、その移動量だけ底板昇降モータを駆動して停止させ、底板異常検知時に装置の破損を防いでいる。
【０００６】
従来の原稿読取装置のさらに他の例が、たとえば、特開平１１−２３７７７０号公報（特許文献３）に開示されている。
【０００７】
同公報によれば、原稿持ち上げ部材の動作モードを、給紙テーブルに原稿がセットされると直ちに原稿持ち上げ部材が上昇する第１動作モードと、原稿セット検知後に、スタートボタンが押されてから原稿持ち上げ部材が上昇する第２動作モードのいずれかを選択可能な構成を備え、それによって、オペレータに使い易いように構成されている。
【特許文献１】特開２００２−６００６７号公報（段落番号０００７〜０００９等）
【特許文献２】特開２０００−９５３５９号公報（段落番号０００７等）
【特許文献３】特開平１１−２３７７７０号公報（段落番号０００７等）
【発明の開示】
【発明が解決しようとする課題】
【０００８】
従来の、原稿読取装置は上記のように構成されていた。給紙速度の向上や、原稿テーブルの破損および多少のオペレータの使い勝手等には考慮が払われていたが、必ずしも、ユーザにとって使い易いというわけではなかった。
【０００９】
この発明は、上記のような問題点に着目してなされたもので、ユーザにとってより使い易い、原稿読取装置を提供することを目的とする。
【課題を解決するための手段】
【００１０】
この発明に係る原稿読取装置は、原稿を載置する原稿載置台と、原稿載置台に原稿が載置されたか否かを判断する原稿載置判断手段と、原稿載置判断手段が、原稿が載置されたと判断した後、所定の時間経過を検出するタイマーと、原稿載置台を、原稿を給紙するための給紙部、または給紙部の反対方向へ移動させる手段と、時間経過検出手段が所定の時間経過を検出した後、原稿載置台を給紙部へ移動させる制御手段とを含む。
【００１１】
好ましくは、原稿載置台は、原稿の搬送方向に交わる方向の端部を整列する整列装置を含み、制御手段は、整列装置が移動されたか否かを判断する移動判断手段を含み、制御手段が、整列装置が移動されたと判断したときは、原稿載置台を、給紙部の反対方向に移動するよう制御する。
【００１２】
さらに好ましくは、原稿載置台は、原稿の搬送方向に交わる方向の端部を整列する整列装置を含み、制御手段は、整列装置が移動されたか否かを判断する移動判断手段を含み、
制御手段が、整列装置が移動されたと判断したときは、タイマーの時間経過の検出をリセットする。
【００１３】
さらに好ましくは、再セットボタンと、再セットボタンが押されたか否かを判断する再セットボタン判断手段とを含み、再セットボタンが押されたときは、制御手段は、原稿載置台を、給紙部の反対方向に移動するよう制御する。
【００１４】
さらに好ましくは、所定の時間経過はユーザが設定可能である。
【００１５】
この発明の他の局面においては、原稿読取装置は、原稿を載置する原稿載置台を含み、原稿載置台は、原稿の搬送方向に交わる方向の端部を整列する整列装置を含み、原稿載置台を、原稿を給紙するための給紙部、または給紙部の反対方向へ移動させる手段と
整列装置が移動されたか否かを判断する移動判断手段と、移動判断手段が、整列装置が移動されたと判断したときは、原稿載置台を、給紙部の反対方向に移動するよう制御する制御手段とを含む。
【００１６】
この発明のさらに他の局面においては、原稿読取装置は、原稿を載置する原稿載置台と、原稿載置台を、原稿を給紙するための給紙部、または給紙部の反対方向へ移動させる手段と、再セットボタンと、再セットボタンが押されたか否かを判断する再セットボタン判断手段と、再セットボタンが押されたときは、原稿載置台を、給紙部の反対方向に移動するよう制御する制御手段とを含む。
【００１７】
好ましくは、制御手段が原稿載置台を給紙部の反対方向に移動した後に所定の時間が経過したか否かを判定するタイマーをさらに含み、タイマーが、所定の時間が経過したと判断したときは、制御手段は、原稿載置台を給紙部へ移動させる。
【００１８】
さらに好ましくは、制御手段は、原稿載置台を給紙部へ移動させた後、給紙部から少し給紙部の反対方向へ移動させる。
【発明の効果】
【００１９】
この発明によれば、原稿が載置されたあと、所定の時間経過を検出するまでは、原稿載置台は、原稿を給紙部へ移動しない。すなわち、所定の時間内は、ユーザが自由に原稿の追加や、整列が可能である。
【００２０】
その結果、ユーザにとってより使い易い、原稿読取装置を提供できる。
【００２１】
この発明の他の局面においては、整列装置が移動されたときは、原稿載置台が給紙部の反対方向に移動される。整列装置が移動されるということは、ユーザが原稿の追加や、原稿画像不揃いであると気づいた時であるから、ユーザがそれらの処理をしやすいように、原稿載置台が給紙部の反対方向に移動される。
その結果、ユーザにとってより使い易い、原稿読取装置を提供できる。
【００２２】
この発明のさらに他の局面においては、再セットボタンが押されたときは、原稿載置台が、給紙部の反対方向に移動される。再セットボタンが押されるということは、ユーザが原稿の漏れや、追加等を思いついた時であるから、ユーザがそれらの処理をしやすいように、原稿載置台が給紙部の反対方向に移動される。
【００２３】
その結果、ユーザにとってより使い易い、原稿読取装置を提供できる。
【発明を実施するための最良の形態】
【００２４】
以下、この発明の実施の形態を図面を参照して説明する。図１はこの発明の一実施の形態にかかる、原稿読取装置の該略の構成を示す断面図である。図１において、原稿読取装置１にはその上に原稿を載置して上下に移動するリフト板（原稿載置台）２が設けられており、このリフト板２はリフトモータ３がラック４を駆動することで上下に移動する。リフト板２は下限検出センサ５によって下限位置が検出され、上限検出センサ６によって上限位置が検出される。上限検出センサ６は、給紙コロ７の上部に設けられている。給紙コロ７の近傍には原稿が載置されているか否かを検知するための発光部８が設けられ、この発光部８に対向してリフト板２の下部には受光部９が設けられている。
【００２５】
リフト板２には発光部８から照射される光が通過できるように図示しない孔が形成されている。リフト板２上に原稿が載置されると、発光部８からの光が遮断されるので、受光部９は原稿がセットされたことを検知する。給紙コロ７は支点１０を中心にして上下に回動可能に設けられており、リフト板２上にセットされた原稿の最上部に接触して原稿を給紙部１１内に搬送する。リフト板２に対応して図示しないスライド抵抗が設けられており、その抵抗値により給紙コロ７が原稿に当接したときに原稿枚数が検出される。給紙コロ７は通常の状態では最大積載厚さ以上の位置に保持されている。
【００２６】
給紙部１１には、原稿が重なって搬送部２３内に搬送されないように１枚ずつ分離するための分離部１２が設けられている。この分離部１２はローラ１３，１４と、このローラ１３，１４に対して逆方向に回転するローラ１５とを含む。搬送部２３には複数の搬送ローラ対１６，１７，１８，１９，２０が設けられていて，これらの搬送ローラ対１６〜２０によって原稿が１枚ずつ搬送される。
【００２７】
リフト板２の後部には給紙テーブル２１が設けられ、給紙テーブル２１上には、リフト板２および給紙テーブル２１上に載置された原稿の、給紙方向に交わる方向の端部を両側から整列させるための、一対の整列装置２２が設けられている。ユーザは、この一対の整列装置２２を動かして、原稿を長手方向に給紙するよう載置したときは、原稿の幅方向の両端部を揃え、それによって、原稿読取装置は、原稿のサイズを知る。なお、図１においては、一対の整列装置２２の一方側のみを示している。
【００２８】
図２はこの発明の一実施形態における原稿読取装置のブロック図である。図２において、図１に示したリフトモータ３と、下限検出センサ５と、上限検出センサ６と、受光部９と、整列装置２２とは制御手段としての制御部３０に接続されている。さらに、制御部３０にはスタートキー３１と、降下指令キー３２と、メモリ３３と、表示部３４と、タイマー３５と、入力部３６と、再セットボタン３７とが設けられる。
【００２９】
スタートキー３１はユーザが操作することで原稿の読取り開始を指令するものであり、降下指令キー３２はリフト板２を最降下位置に移動するように指令を与えるものである。この最降下位置は、リフト板２に例えば原稿の最大積載できる枚数として２００枚セットできるよう設けられている。表示部３４にはリフト板２が設定されている位置を表示するようにしてもよい。これにより、ユーザは大量の複写を行うときに、降下指令キー３２を操作すべきかの判断が容易になる。
【００３０】
制御部３０は下限検出センサ５の検出出力により、リフト板２の下限位置を最降下位置として判別し、上限検出センサ６の検出出力によりリフト板２の上限位置を判別し、受光部９の出力により原稿がリフト板２上に載置されていることを判別する。
【００３１】
タイマー３５は、ユーザが原稿をリフト板２上に載置した後で、リフト板２の上の原稿を、原稿を給紙するための、給紙部１１まで上昇させるために、リフトモータ３を上昇駆動するまでの時間を設定するために使用される。
【００３２】
入力部３６は、ユーザが原稿読取装置の動作に対して所望の設定を入力するために設けられている。入力部としては、テンキー等の付属したものや、タッチパネル等の任意の形式であってもよい。たとえば、後に説明するように、タイマー３５の設定値をユーザは入力できるが、この場合、いわゆるボリューム式の入力装置であってもよい。
【００３３】
再セットボタン３７は、一旦原稿をセットしたリフト板２を給紙部１１までリフトした後で、再セットのために、リフト板２を最降下位置近傍に移動させるために使用されるボタンである。これは、降下指令キー３２で代用してもよい。
【００３４】
（１）第１実施の形態
次に、原稿読取装置１の動作について説明する。図３は、原稿読取装置１の第１実施の形態の動作を示すフローチャートである。図３を参照して、まず、リフト板２に原稿が載置されるのを待つ（ステップＳ１１、以下ステップを省略する）。原稿が載置されると、所定の時間を設定するために、タイマー３５をリセットスタートする（Ｓ１２）。次いで、リフト板２上に載置された原稿の、搬送方向に交わるたとえば幅方向を、整列装置２２を移動して調整したか否かを判断する（Ｓ１３）。原稿の検知幅に変化があったと判断したときは、（Ｓ１３でＹＥＳ）、Ｓ１２へ戻って、再度タイマー３５をリセットスタートする（Ｓ１２）。Ｓ１３で原稿の検知幅に変化が無いときは、Ｓ１２で設定したタイマーのカウントアップを待つ（Ｓ１４）。
【００３５】
タイマーカウントが、Ｓ１２で設定した所定値に達すると（Ｓ１５でＹＥＳ）、リフト板２がリフトモータ３によって上昇駆動され（Ｓ１６）、上限検知センサ６がオンするまで上昇される（Ｓ１７）。そして、上限検知センサ６がオンすると、リフトモータ３は停止する（Ｓ１８）。
【００３６】
Ｓ１５でタイマー３５が所定値に達するまでは（Ｓ１５でＮＯ）、Ｓ１３に戻るため、タイマーカウントが所定値に達するまでは、整列装置２２を用いた原稿の整列や原稿の追加が可能になる。
【００３７】
なお、ここで、Ｓ１２で設定されるタイマー３５の設定値は、ユーザが入力部３６を介して任意の値を設定できるものとし、設定された値は、メモリ３３等に格納される。
【００３８】
以上のように、この実施の形態においては、原稿がリフト板２上に載置されてから、設定された所定の時間以内は、原稿が給紙部１１に送られない。ユーザは、所定の時間内に、原稿の追加等の処理ができるため、ユーザに使い易い原稿読取装置を提供できる。
【００３９】
（２）第２実施の形態
次に、この発明の第２実施の形態について説明する。図４は、第２実施の形態にかかる原稿読取装置の動作を示すフローチャートである。図４を参照して、この実施の形態においては、まず、ユーザが原稿をリフト板２上に載置すると、リフト板２が原稿を給紙部１１まで上昇させる。その後、制御部３０は、リフトモータ３を停止した後、リフトモータ３を反転して、少しリフト板２を下げ、原稿と給紙コロ７との間に隙間を作る。
【００４０】
この時、ユーザが原稿の不足や原稿の整列の乱れ等に気が付いて、ユーザが再セットボタン３７を押すと、（Ｓ２１）、リフトモータ３がリフト板２を下限検知センサ５をオンするまで下降させて（Ｓ２２、Ｓ２３）、リフトモータ３を停止する（Ｓ２４）。
【００４１】
次いで、予め、タイマー３５で設定された時間がくるのを待って、リフトモータ３は、リフト板２が上限検知センサ６を検知するまで上昇駆動する（Ｓ２５〜Ｓ２７）。リフト板２が上限検知センサ６を検知すると（Ｓ２８でＹＥＳ）、リフトモータ３は、停止し（Ｓ２９）、その後、リフトモータ３を少しだけ下降駆動して、リフト板２を少しだけ下降させる（Ｓ３０）。これによって、給紙コロ７と原稿との間に隙間が形成され、ユーザは、原稿を揃えることができる。
【００４２】
以上のように、この実施の形態によれば、ユーザが再セットボタン３７を押すと、リフト板２が下限位置まで降りるため、ユーザは、一旦、原稿をセットした後で、原稿の漏れ等に気づいても、原稿の追加や、原稿の再配列といった、対処が容易に可能になる。
【００４３】
また、リフト板２が下限位置に到達して、リフトモータ３の停止後、所定の期間が経過して初めて、リフト板２は、給紙部１１へ昇降される。その間にユーザは、上記した所望の処理が可能になる。
【００４４】
なお、この場合も、タイマー３５の設定は、ユーザが自由に行なうことができる。
【００４５】
（３）第３実施の形態
次に、この発明の第３実施の形態について説明する。図５は、この発明の第３実施の形態の動作を示すフローチャートである。
【００４６】
図５を参照して、この実施の形態においては、リフト板２上に原稿が載置されて、リフト板２がリフトモータ３で上昇駆動され、上限検知センサをオンするまで上昇される。この状態で、まず、原稿の搬送方向に交わる方向の端面を揃える、整列装置２２が移動されたか否かが判断され（Ｓ３１）、整列装置２２が移動されたと判断されると（Ｓ３１でＹＥＳ）、リフトモータ３が下降駆動され（Ｓ３２）、リフト板２をある程度まで下降させる（Ｓ３３）。リフト板２が、ある程度の位置まで下降すると、リフトモータ３は、停止される（Ｓ３４）。
【００４７】
すなわち、この実施の形態によれば、整列装置２２が移動されたと判断されると、それは、ユーザが原稿をセットし直すことを意味しているから、ユーザが原稿の再セットを容易に行えるように、リフト板２を下降させる。したがって、ユーザに使い易い原稿読取装置が提供できる。
【００４８】
なお、ある程度下降後、その位置でも不十分であれば、ユーザは、さらなる下降を指示できるようにしてもよい。この場合、先の実施の形態で述べた、再セットボタン３７を利用してもよいし、降下指令キー３２を利用してもよい。また、表示部に「さらに下降しますか」という問いと、それに対する回答ボタンとを表示して、それに応答するようにしてもよい。
【００４９】
ここで、ある程度の降下位置は、ユーザが入力部３６を介して入力できるようにしてもよい。この降下位置は、載置する枚数で表示してもよい。また、降下位置は、最降下位置であってもよい。
【００５０】
上記の処理後、コピースタート位置復帰制御に入る（Ｓ３５）。
【００５１】
次に、Ｓ３５で示した、コピースタート位置復帰制御について説明する。このコピースタート位置復帰制御の処理内容は、上記した第１実施の形態を利用する。
【００５２】
すなわち、リフト板２がある位置まで下降してユーザが原稿の追加や整列等を行なった後は、第１実施の形態で述べたように、原稿がリフト板２上に載置されているから、設定された所定の時間経過後、リフト板２をすぐにコピー開始のできる給紙部１１に待機させることができる。その結果、早期にコピー等の開始が可能になる。
【００５３】
なお、ユーザは、上記のＳ３５より前の処理のみの処理モードと、Ｓ３５以降の処理を含めた処理モードとの、いずれかを選択できるようにしてもよい。この選択は、表示部３４に表示することによって行なってもよい。
【００５４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００５５】
【図１】原稿読取装置の構成を示す断面図である。
【図２】原稿読取装置の構成を示すブロック図である。
【図３】この発明の一実施の形態にかかる、原稿読取装置の動作を示すフローチャートである。
【図４】この発明の他の実施の形態にかかる、原稿読取装置の動作を示すフローチャートである。
【図５】この発明のさらに他の実施の形態にかかる、原稿読取装置の動作を示すフローチャートである。
【符号の説明】
【００５６】
１  原稿読取装置、２  リフト板（原稿載置台）、３  リフトモータ、４  ラック、５  下限検出センサ、６  上限検出センサ６、７  給紙コロ、８  発光部、９  受光部、１０  支点、１１給紙部１１、２２  整列装置、２３  搬送部、３１  スタートキー、３２  降下指令キー、３３  メモリ、３４  表示部、３５  タイマー、３６  入力部、３７  再セットボタン。
【図１】
2006041809.tif 000003
【図２】
2006041809.tif 000004
【図３】
2006041809.tif 000005
【図４】
2006041809.tif 000006
【図５】
2006041809.tif 000007